(57)【要約】【課題】３Ｄ表示のスタイルを使用者の好みにより変更できるようにする。【解決手段】操作手段２により、表示方針となる表示スタイルを指定し、表示制御手段１により、操作手段２により指定された表示スタイルに従って画像を表示手段４に表示させる。【選択図】      図１
2004172976.tif 000002
【特許請求の範囲】
【請求項１】
画像を表示する表示手段と、
表示方針となる表示スタイルを指定する操作手段と、
前記操作手段により指定された前記表示スタイルに従って前記画像を前記表示手段に表示させる表示制御手段と、
を備えたことを特徴とするモバイル端末の表示方式。
【請求項２】
画像を表示する表示手段と、
表示方針となる表示方法を示す表示スタイルを指定するとともに前記表示手段に表示された前記画像を操作する画像操作指示を出力する操作手段と、
前記操作手段により指定された前記表示スタイルに従って前記画像を前記表示手段に表示させるとともに、前記操作手段が出力した前記画像操作指示に従って前記画像の表示を変化させる表示制御手段と、
を備えたことを特徴とするモバイル端末の表示方式。
【請求項３】
表示データを保持するデータベースと、
画像を表示する表示手段と、
表示方針となる表示スタイルを指定する操作手段と、
前記データベースより前記表示データを読み出し、この読み出した前記表示データを前記操作手段により指定された前記表示スタイルに応じて処理しこの処理した前記表示データに応じた前記画像を前記表示手段に表示させる表示制御手段と、
を備えたことを特徴とするモバイル端末の表示方式。
【請求項４】
表示データを保持するデータベースと、
画像を表示する表示手段と、
表示方針となる表示スタイルを指定するとともに前記表示手段に表示された前記画像を操作する画像操作指示を出力する操作手段と、
前記データベースより前記表示データを読み出し、この読み出した前記表示データを前記操作手段により指定された前記表示スタイルに応じて処理しこの処理した前記表示データに応じた前記画像を前記表示手段に表示させるとともに、前記操作手段が出力した前記画像操作指示に従って前記画像の表示を変化させる表示制御手段と、
を備えたことを特徴とするモバイル端末の表示方式。
【請求項５】
前記表示制御手段が前記画像操作指示に従って行う前記画像の表示の変化は、移動、回転を含むことを特徴とする請求項２又は４記載のモバイル端末の表示方式。
【請求項６】
前記表示手段を２次元平面としたことを特徴とする請求項１、２、３、４又は５記載のモバイル端末の表示方式。
【請求項７】
前記表示制御手段は、前記画像を２次元平面の前記表示手段に３次元的に表示させるようにしたことを特徴とする請求項６記載のモバイル端末の表示方式。
【請求項８】
予め定めた複数の表示スタイル候補のうちから一つの前記表示スタイルを選んで指定する前記操作手段と、
前記操作手段が指定した前記表示スタイルを、下地として表示するバック表示を示すメタファーとして捉え前記表示手段に対してこのメタファー上に前記画像を表示させる前記表示制御手段と、
を備えたことを特徴とする請求項１、２、３、４、５、６又は７記載のモバイル端末の表示方式。
【請求項９】
前記メタファーの表示を操作するメタファー操作指示を出力する前記操作手段と、
前記操作手段が出力した前記メタファー操作指示に従って前記メタファーの表示を変化させ、前記メタファー上に表示された前記画像を前記メタファーの表示を変化に従って変化させる前記表示制御手段と、
を備えたことを特徴とする請求項８記載のモバイル端末の表示方式。
【請求項１０】
前記表示制御手段が前記メタファー操作指示に従って行う前記メタファーの表示の変化は、移動、回転を含み、前記メタファー上に表示された前記画像は、前記メタファーの移動、回転に伴って前記メタファーとともに移動、回転することを特徴とする請求項９記載のモバイル端末の表示方式。
【請求項１１】
前記複数の表示スタイル候補は、「奥行きが無限の立方体」、「地球儀」、「回転ドラム」、「プラネタリウム」及び「宇宙空間」を含んでいることを特徴とする請求項８、９又は１０記載のモバイル端末の表示方式。
【請求項１２】
前記表示制御手段が前記操作手段により指定された前記表示スタイルに対応した前記画像を前記表示手段に表示させているときに、前記操作手段が前記表示スタイルと異なる他の表示スタイルを指定した場合、前記表示制御手段は、前記データベースより読み出した前記表示データを前記他の表示スタイルに応じて処理しこの処理した前記表示データに応じた画像を前記表示手段に表示させるようにしたことを特徴とする請求項３又は４記載のモバイル端末の表示方式。
【請求項１３】
前記表示手段に表示する前記画像は、メニュー、アイコン、ウインドウを含むことを特徴とする請求項１から１２のいずれ１項記載のモバイル端末の表示方式。
【請求項１４】
前記表示手段に表示する前記画像は、机、ポット、花瓶、犬、人を含むオブジェクトであることを特徴とする請求項１から１３のいずれ１項記載のモバイル端末の表示方式。
【発明の詳細な説明】
【０００１】
【発明の属する技術分野】
本発明はモバイル端末の表示方式に関し、特に画像を３次元表示するようにしたモバイル端末の表示方式に関する。
【０００２】
【従来の技術】
従来、この種のモバイル端末の表示方式は、予め備えたディスプレイ装置に画像を３次元表示することにより、より扱いやすいマンマシンインターフェースを提供するために用いられている。
【０００３】
従来のモバイル端末の表示方式の例として、立体画像を見ることを可能とするレンズネットワークを有するスクリーンを備え、３Ｄ−ＬＣＤと呼ばれる技法を使用して３次元のメニューをスクリーン上に表示し、ボールを操作してメニューの項目を選択するようにしているものがある（例えば、特許文献１参照）。
【０００４】
また、予め備えた液晶ディスプレイの一部に立体画像が表示できるようにし、レンチキュラースクリーン方式、バックライト分割方式、インテグラルフォトグラフィー方式、回折格子形３Ｄディスプレイ方式等の方式により、人や物等の情報を立体画像として表示するようにしているものもある（例えば、特許文献２参照）。
【０００５】
【特許文献１】
特開２００１−２２４０４６号公報（段落「００１１」から段落「００１３」、図１）
【特許文献２】
特開２００１−２５１４０３号公報（段落「０００９」、段落「００５３」、図１）
【０００６】
【発明が解決しようとする課題】
上述した従来のモバイル端末の表示方式は、立体画像を見ることができるスクリーンを備え、このスクリーンに３次元のメニューを表示しボールを操作してメニューの項目を選択するようにしたり、予め備えた液晶ディスプレイの一部に立体画像が表示できるようにし、予め定めた方式により、人や物等の情報を立体画像として表示するようにしたりしている。これらのモバイル端末の表示方式は、立体画像が表示できる予め定めた方式により情報を立体画像として表示するようにしているため、同一の物はいつも同様に表示される。このため、３次元表示する表示スタイルを使用者の好みにより変更することができないという問題がある。また、表示内容に適した表示スタイルを選択できないという問題がある。
【０００７】
本発明の目的はこのような従来の欠点を除去するため、３次元表示する表示スタイルを使用者の好みにより変更することができ、表示内容に適した表示スタイルを選択することができるモバイル端末の表示方式を提供することにある。
【０００８】
【課題を解決するための手段】
本発明の第１のモバイル端末の表示方式は、画像を表示する表示手段と、
表示方針となる表示スタイルを指定する操作手段と、
前記操作手段により指定された前記表示スタイルに従って前記画像を前記表示手段に表示させる表示制御手段と、
を備えて構成されている。
【０００９】
本発明の第２のモバイル端末の表示方式は、画像を表示する表示手段と、
表示方針となる表示方法を示す表示スタイルを指定するとともに前記表示手段に表示された前記画像を操作する画像操作指示を出力する操作手段と、
前記操作手段により指定された前記表示スタイルに従って前記画像を前記表示手段に表示させるとともに、前記操作手段が出力した前記画像操作指示に従って前記画像の表示を変化させる表示制御手段と、
を備えて構成されている。
【００１０】
本発明の第３のモバイル端末の表示方式は、表示データを保持するデータベースと、
画像を表示する表示手段と、
表示方針となる表示スタイルを指定する操作手段と、
前記データベースより前記表示データを読み出し、この読み出した前記表示データを前記操作手段により指定された前記表示スタイルに応じて処理しこの処理した前記表示データに応じた前記画像を前記表示手段に表示させる表示制御手段と、
を備えて構成されている。
【００１１】
本発明の第４のモバイル端末の表示方式は、表示データを保持するデータベースと、
画像を表示する表示手段と、
表示方針となる表示スタイルを指定するとともに前記表示手段に表示された前記画像を操作する画像操作指示を出力する操作手段と、
前記データベースより前記表示データを読み出し、この読み出した前記表示データを前記操作手段により指定された前記表示スタイルに応じて処理しこの処理した前記表示データに応じた前記画像を前記表示手段に表示させるとともに、前記操作手段が出力した前記画像操作指示に従って前記画像の表示を変化させる表示制御手段と、
を備えて構成されている。
【００１２】
また、本発明の第１から第４のモバイル端末の表示方式は、予め定めた複数の表示スタイル候補のうちから一つの前記表示スタイルを選んで指定する前記操作手段と、
前記操作手段が指定した前記表示スタイルを、下地として表示するバック表示を示すメタファーとして捉え前記表示手段に対してこのメタファー上に前記画像を表示させる前記表示制御手段と、
を備えて構成されている。
【００１３】
更に、本発明の第１から第４のモバイル端末の表示方式は、前記メタファーの表示を操作するメタファー操作指示を出力する前記操作手段と、
前記操作手段が出力した前記メタファー操作指示に従って前記メタファーの表示を変化させ、前記メタファー上に表示された前記画像を前記メタファーの表示を変化に従って変化させる前記表示制御手段と、
を備えて構成されている。
【００１４】
また、本発明の第３と第４のモバイル端末の表示方式は、前記表示制御手段が前記操作手段により指定された前記表示スタイルに対応した前記画像を前記表示手段に表示させているときに、前記操作手段が前記表示スタイルと異なる他の表示スタイルを指定した場合、前記表示制御手段は、前記データベースより読み出した前記表示データを前記他の表示スタイルに応じて処理しこの処理した前記表示データに応じた画像を前記表示手段に表示させるようにしている。
【００１５】
【発明の実施の形態】
次に、本発明の実施の形態について図面を参照して説明する。
【００１６】
図１は、本発明のモバイル端末の表示方式の一つの実施の形態を示すブロック図である。
【００１７】
図１に示す本実施の形態は、表示データを保持するデータベース３と、画像を表示する表示手段４と、表示方針（表示ポリシー）となる表示スタイルを指定するとともに表示手段４に表示された画像を操作する画像操作指示を出力する操作手段２と、データベース３より読み出した表示データを操作手段２により指定された表示スタイルに応じて処理しこの処理した表示データに応じた画像を表示手段４に表示させるとともに、操作手段２が出力した画像操作指示に従って画像の表示を変化させる表示制御手段１とにより構成する。
【００１８】
表示手段４は、液晶ディスプレイ８等の２次元平面である。
【００１９】
操作手段２は、ユーザの指示により予め定めた複数の表示スタイル候補のうちから一つの表示スタイルを選んで指定し、表示制御手段１は、この指定された表示スタイルを、下地として表示するバック表示を示すメタファー（隠喩）として捉え表示手段４に対してこのメタファー上に画像を表示させる。
【００２０】
複数の表示スタイル候補は、「奥行きが無限の立方体」、「地球儀」、「回転ドラム」、「プラネタリウム」及び「宇宙空間」を含んでいる。
【００２１】
このことにより、表示制御手段１は、画像を２次元平面の表示手段４に３次元（以後、３Ｄと記載する。）的に表示させる。例えば、操作手段２が、ユーザの指示により表示スタイルとして「地球儀」を指定したときには、表示手段４に地球儀が表示され、画像はこの地球儀の表面に湾曲して表示される。また、操作手段２が、ユーザの指示により表示スタイルとして「プラネタリウム」を指定したときには、表示手段４に例えば満点の星空が表示され、画像はこの星空に湾曲して表示される。
【００２２】
ユーザは表示手段４に表示された画像を見て、操作手段２にこの画像の移動、回転等を指示すると、操作手段２はユーザの指示に従った画像操作指示を出力する。表示制御手段１はこの画像操作指示に従って、表示されている画像に対して現在のメタファー上で移動、回転等を行い、画像の表示を変化させる。
【００２３】
ユーザは表示手段４に表示されたメタファーを見て、操作手段２にこのメタファーの移動、回転等を指示すると、操作手段２はユーザの指示に従ってメタファーの表示を操作するメタファー操作指示を出力する。
【００２４】
表示制御手段１はこのメタファー操作指示に従って、メタファーを移動、回転等させることによりメタファーの表示を変化させる。また、メタファー上に表示された画像も、メタファーの移動、回転等に伴ってメタファーとともに移動、回転等させて表示を変化させる。
【００２５】
表示制御手段１が操作手段２により指定された表示スタイルに応じて画像を表示手段４に表示させているときに、ユーザが他の表示スタイルによってこの画像を表示させることを希望して操作手段２にこの他の表示スタイルの選択を指示すると、操作手段２は、現在の表示スタイルと異なるこの他の表示スタイルを新たに指定する。表示制御手段１は、操作手段２により指定された新たな表示スタイルに応じたバック表示を行い、現在表示している画像に対応する表示データをこの新たな表示スタイルに応じて処理しこの処理した表示データに応じた画像を表示手段４に表示させる。これにより、ある表示スタイル上に表示されていた画像が、新たな表示スタイル上にこの表示スタイルに応じて３Ｄ表現として変換されて（例えば、「地球儀」から「プラネタリウム」へ）表示される。このようにすることにより、表示する画像はこの画像を表示する表示スタイルに応じて表示されるので、一つの画像に対応するデータベース３内の表示データは一つでよく、表示スタイルの個数分用意しなくてよい。
【００２６】
次に、本実施の形態のモバイル端末の表示方式の動作を図２を参照して詳細に説明する。
【００２７】
図２は、本発明の実施の形態の一つの具体例を示すブロック図であり、液晶ディスプレイ８、キーデバイス６、３Ｄ空間情報データベース７及び３Ｄ表示制御部５より構成する。
【００２８】
３Ｄ表示制御部５は、表示ポリシー５４を有し３Ｄ制御ライブライブから読み出した関数を実行する３Ｄ空間管理制御部５１と、３Ｄ空間管理制御部５１が実行した関数に従って液晶ディスプレイ８上の表示を制御する３Ｄエンジン５３と、により構成する。
【００２９】
液晶ディスプレイ８は図１の表示手段４に相当し、２次元のディスプレイ装置であれば液晶ディスプレイ８に限定しなくて良い。キーデバイス６は図１の操作手段２に相当し、例えばテンキーデバイス、矢印キーデバイス、ポインティングデバイス等である。３Ｄ空間情報データベース７は図１のデータベース３に相当する。３Ｄ表示制御部５は図１の表示制御部に相当する。
【００３０】
図２に示す構成により、奥行きを表現できる３Ｄ空間において、モバイル端末のシステムの操作を行うためのユーザインタフェースを表示したり、メディアリッチなコンテンツ（サウンド、静画、動画等を組み合わせた表現イメージ）を表示をしたりでき、２次元表現では制限されてしまう表現力を奥行き方向に無限に自由に拡張し、制御可能となる。
【００３１】
３Ｄ制御ライブラリ５２は、３Ｄ空間への表現や描画、表現されているオブジェクトの制御などを行う関数（プログラム）の集まりでソフトウェアのための３ＤライブラリＡＰＩ（アプリケーション・プログラム・インタフェース）と位置付けられる。
【００３２】
３Ｄエンジン５３は、液晶ディスプレイ８への表示を行う。また、液晶ディスプレイ８上に表現する３Ｄ空間への表示やこの３Ｄ空間に表示されているオブジェクトの操作を行う。３Ｄエンジン５３は、３Ｄ制御ライブラリ５２の個々の関数から呼び出されて、その関数機能に相当する描画や制御を指示通りに液晶ディスプレイ８へ視覚的イメージとしてもたらす。３Ｄエンジン５３は、ソフトウェアで実現してもハードウェアにより実装しても良い。どちらで実現しても機能は同等である。
【００３３】
キーデバイス６は、液晶ディスプレイ８に表示されている３Ｄ空間を自由に移動できるようにするためのもので、携帯電話端末、ＰＤＡ、ＰＤＣ等のモバイル端末が予め装備しているものである。このキーデバイス６は、テンキースタイルの英数字キーの集まりであっても、８方向や１６方向への指示ができるような方向指示選択型のキー装置であっても、親指や人指し指で押したり曲げたり回したりすることで操作を表現できるようなマウス型のポインティングデバイスであっても良い。これらのいくつかを組み合わせたものであっても良い。
【００３４】
３Ｄ空間管理制御部５１は、液晶ディスプレイ８に表現する３Ｄ空間の表示イメージを管理し、配置させる。３Ｄ空間管理制御部５１は、表示データの保存場所である３Ｄ空間情報データベース７から読み出した画像データ、文字データ、表示する画像の生地（タイル、木、紙等）を示すテクスチャデータ等を表示スタイルに従って３Ｄ制御ライブラリ５２の個々の関数を呼び出して３Ｄ空間へ表示する。
【００３５】
３Ｄ空間情報データベース７は、モバイル端末中のメニューやアイコンやウィンドウ等を３Ｄ空間に配置するための表示データを予め保持する。
【００３６】
表示ポリシー５４は、３Ｄ空間管理制御部５１の管理下で３Ｄ空間に表示データを配置するための複数の表示スタイルを有する。
【００３７】
３Ｄ空間管理制御部５１は、この表示スタイルに基づき人間の目に立体的に見える３Ｄ画像を生成し、液晶ディスプレイ８に表示させる。
【００３８】
３Ｄ空間管理制御部５１は、３Ｄ空間の広がりを把握しており、ユーザの操作によりキーデバイス６から指示を受け取りこの指示を解釈して、３Ｄエンジン５３を介してＸＹＺ軸のそれぞれの方向へ広がりを持たせて液晶ディスプレイ８に表示させる。
【００３９】
ここでは、表示ポリシー５４のもとにモバイル端末のユーザインタフェースを液晶ディスプレイ８に３Ｄ空間で表現し、モバイル端末のシステムの操作をこの液晶ディスプレイ８上で３Ｄ的に行うことについて説明する。
【００４０】
３Ｄ空間の表示ポリシー５４は、予め３Ｄ空間管理制御部５１内に設定してある。この表示ポリシー５４は、奥行きが無限に延長している立方体、地球儀、回転ドラム、プラネタリウム、宇宙空間等のスタイル（表示スタイル）であり、これらは、メタファーとして捉えられる。
【００４１】
表示スタイルが「地球儀」メタファーのときは、地球儀の外側からみたときのこの地球儀の情景を液晶ディスプレイ８に表示し、この地球儀の表面へ複数の３Ｄオブジェクトを湾曲して配置させる。ユーザはキーデバイス６を操作することによって複数の３Ｄオブジェクトから一つの３Ｄオブジェクトを選択する。これにより、選択された３Ｄオブジェクトに対応したモバイル端末のシステム操作がなされる。また、地球儀を回すようなキーデバイス６からの指示操作（例えば、「→」キーを押す）でモバイル端末のシステムの操作を可能とする。このようにして、地球儀を実生活で操作するのと同じスタイルでモバイル端末の液晶ディスプレイ８に３Ｄ表現されて表示された地球儀を操作して、希望するオブジェクトを選択する。
【００４２】
表示スタイルが「プラネタリウム」メタファーのときは、地球上から見上げる夜空の情景を液晶ディスプレイ８に表示し、この夜空の情景に複数の３Ｄオブジェクトを湾曲して配置させる。「地球儀」メタファーのときと同様にして、ユーザはキーデバイス６を操作し複数の３Ｄオブジェクトから一つの３Ｄオブジェクトを選択することによってモバイル端末のシステム操作を行う。
【００４３】
「宇宙空間」メタファーは「プラネタリム」メタファーの天蓋のイメージを取り払ったものと捉えられる。「立方体」メタファーは、奥行き方向への配置を自由に行えるようにしている。「回転ドラム」メタファーは、回転することで、無限に情報をロールアウトしてくることができる（もちろん、ある時点で一周してしまうこともある）。その他、モバイル端末のシステムの操作としてふさわしい表示スタイルがあれば、この表示スタイルを表示ポリシー５４に取り入れて良い。
【００４４】
３Ｄ空間管理制御部５１は、選択されている表示スタイルのメタファーを３Ｄ空間情報データベース７から取り出し３Ｄ表示ライブラリを利用し３Ｄエンジン５３を介して液晶ディスプレイ８へ表示し、３Ｄ空間情報データベース７から取り出した個々の表示データを、選択されている表示スタイルに従って、３Ｄ空間へのオブジェクトとして配置させるために、３Ｄ表示ライブラリを利用して３Ｄエンジン５３を呼び出しこの３Ｄエンジン５３により液晶ディスプレイ８に表示する。
【００４５】
３Ｄ空間管理制御部５１は、ユーザによるキーデバイス６の操作により、表示ポリシー５４の変更（新たな表示スタイル（メタファー）の指定）が行われた場合は、この指定された表示スタイルを採用し、個々の表示データを適切に描画する。例えば、変更前までは、地球儀にイメージをマッピングしていた処理が、変更後は、プラネタリウムへマッピングを行う等である。
【００４６】
３Ｄ空間管理制御部５１は、個々のメニューやアイコンなどの表示を管理しているだけでなく、各アプリケーションに対応して表示するウィンドウも管理している。これらのメニュー、アイコン及びウィンドウは、３Ｄ空間情報データベース７に予め格納してあり、３Ｄ空間管理制御部５１がこの３Ｄ空間情報データベース７より取り出して、表示スタイルに従い３Ｄ制御ライブラリ５２内の関数とこの関数より呼ばれる３Ｄエンジン５３を使用して、液晶ディスプレイ８に表示される。
【００４７】
したがって、例えば、「地球儀」メタファーのもとでは、地球儀が液晶ディスプレイ８に表示されこの地球儀の表面に、使用できるアプリケーションプログラムのカレントの表示が貼付けられて配置される。ユーザは、キーデバイス６を操作することでこれらアプリケーションプログラムのカレントの表示中からフォーカスしたいものを選択する。例えば、キーデバイス６の「９」という数字が押されたとすると、地球儀上のそれに対応したアプリケーションが選択されこのアプリケーションの表示イメージが液晶ディスプレイ８を占有する。そして、「０」キーを押すと、その直前までの、地球儀イメージへと復帰する。
【００４８】
また、ユーザが、キーデバイス６中の左右上下方向キーを適切に選択すると、３Ｄ空間制御管理部は、地球儀を例えば回転させながら、モバイル端末中で起動されている個々のタスクのカレントのイメージのブラウジングを可能とさせる。すなわち、左右上下のキーのどれかが押されると、その方向へ３Ｄ空間の中で地球儀が回転する。この回転をすることで、今まで見えていなかった地球儀の箇所が新たに見える。そして、例えば，地球儀上の日本が電話帳のアプリケーションを、オーストラリアがブラウザのアプリケーションを表しているとすると、ユーザのキーデバイス６への操作により、これらのアプリケーションを順にたどりアプリケーションを選択する。この場合、電話帳アプリケーションが日本の画像イメージにマッピングされ、ブラウザアプリケーションがオーストラリアの画像イメージにマッピングされている。
【００４９】
３Ｄ空間管理制御部５１は、メタファーを組み合わせて複数のメタファーを同時に液晶ディスプレイ８に表示させることができる。これは、３Ｄ空間管理制御部５１の中で管理制御をネストさせて利用することにより行われる。例えば、「プラネタリウム」メタファーが選択されていて、このメタファーに貼り付けられているあるタスクをユーザがキーデバイス６を操作して選んだときこのタスクがメニューであった場合、このメニューがさらに、「回転ドラム」メタファーで表示されても良い。そして、ユーザは、キーデバイス６を適切に操作して、表示されたメニューの選択を行える。
【００５０】
３Ｄ空間管理制御部５１は、選択されている表示スタイル（メタファー）に応じて液晶ディスプレイ８に表示した３Ｄ空間の表現が異なるので、表示されている３Ｄ空間に合った操作性を考慮し、キーデバイス６の各キーに対応する、メタファーや画像の動きを、メタファーに応じて変更する。
【００５１】
例えば、３Ｄ空間管理制御部５１が、表示ポリシー５４として「直方体」メタファーを選択している場合、矢印キーにより、左右方向や前後方向の動きの制御を可能とする。また、テンキーの「０」、「９」、「４」、「６」などで同様の動きを可能とする。この時に、「クリアー」などの特殊なキーを押すことで、テンキーによる操作が、空間内移動の制御ではなく、起動タスクのダイレクトな呼び出しとして使用されても良い。「地球儀」メタファーを選択している場合には、矢印キーとテンキーとに対応させて地球儀の回転の制御を行う。
【００５２】
以上の説明では、モバイル端末のシステムの操作を液晶ディスプレイ８上で３Ｄ的に行う場合について記載したが、液晶ディスプレイ８上で３Ｄ的にメディアリッチなコンテンツを表現する場合にも適用できる。この場合も、上記記載と同様であるが、メタファーに貼り付けるものがメニュー、アイコン、ウインドウ、タスク等ではなく、メディアリッチなコンテンツ（サウンド、静画、動画等を組み合わせた表現イメージ）や、机、ポット、花瓶、犬、人等の個々のオブジェクトであることのみ異なる。すなわち、これらのコンテンツやオブジェクトを３Ｄ空間情報データベース７に予め格納しておき、３Ｄ空間制御部が、３Ｄ空間情報データベース７に格納されているコンテンツやオブジェクトを取り出しこれを、現在選択されている表示スタイル（メタファー）上に貼り付けて提示する。ユーザのキーデバイス６の操作によりコンテンツやオブジェクトが選択されると、この選択されたコンテンツやオブジェクトが液晶ディスプレイ８全画面に表示される。
【００５３】
【発明の効果】
以上説明したように、本発明のモバイル端末の表示方式によれば、操作手段により、表示方針となる表示スタイルを指定し、表示制御手段により、操作手段により指定された表示スタイルに従って画像を表示手段に表示させるため、３次元表示する表示スタイルを使用者の好みにより変更することができ、表示内容に適した表示スタイルを選択することができる。
【図面の簡単な説明】
【図１】本発明のモバイル端末の表示方式の一つの実施の形態を示すブロック図である。
【図２】本発明の実施の形態の一つの具体例を示すブロック図である。
【符号の説明】
１    表示制御手段
２    操作手段
３    データベース
４    表示手段
５    ３Ｄ表示制御部
６    キーデバイス
７    ３Ｄ空間情報データベース
８    液晶ディスプレイ
５１    ３Ｄ空間管理制御部
５２    ３Ｄ制御ライブラリ
５３    ３Ｄエンジン
５４    表示ポリシー
【図１】
2004172976.tif 000003
【図２】
2004172976.tif 000004